(57)【要約】【課題】  リアルタイムサービスの測定結果に基づいた課金情報であることを把握できる加入者端末を提供すること。【解決手段】  無線基地局１００との間の無線通信品質を測定する測定手段２０４と、測定結果を無線基地局１００に送信し、当該測定結果に基づいた課金情報を受信する無線手段２０２と、無線手段２０２で測定結果を無線基地局１００へ送信したときに、課金情報の受信、及び、当該受信した課金情報の報知、の各処理を実行するように制御する制御手段２０３と、を備える。【選択図】  図１
2007336575.tif 000002
【特許請求の範囲】
【請求項１】
無線基地局との間の無線通信品質を測定する測定手段と、
該測定手段の測定結果を前記無線基地局に送信する送信手段と、
コンテンツなどの情報サービスの配信要求を行う要求手段と、
前記送信した前記無線通信品質に基づいて算出された前記情報サービスの課金情報を受信する受信手段と、
前記課金情報を報知する報知手段と、
前記送信手段で前記測定結果を前記無線基地局へ送信したとき、前記受信手段による前記課金情報の受信、及び、前記報知手段による報知を実行するように制御する制御手段と、
を備えたことを特徴とする加入者端末。
【請求項２】
コンテンツなどの情報サービスの配信要求を行う要求手段と、
前記要求手段による配信要求によって前記無線通信装置との間の無線通信品質が測定され、当該測定された無線通信品質に基づいて算出された前記情報サービスの課金情報を受信する受信手段と、
前記課金情報を報知する報知手段と、
を備えたことを特徴とする加入者端末。
【請求項３】
前記報知情報で報知される前記課金情報は、前記無線通信品質を示す情報を含む、
ことを特徴とする請求項１または２に記載の加入者端末。
【発明の詳細な説明】
【技術分野】
【０００１】
本発明は、ＶｏＩＰ（Voice over Internet Protocol）等によるリアルタイムサービスに用いて好適な加入者端末に関する。
【背景技術】
【０００２】
リアルタイムサービスは、加入者端末において有料課金情報を購入することで、当該加入者に対してサービスを提供するものである。このようなサービスでは、その有料課金情報の品質がリアルタイム性能に大きく依存するため、当該有料課金情報の品質を適切に測定し、その結果を課金情報に反映させることが望まれる。
【０００３】
このような背景において、従来では、リアルタイムサービスにおける品質を測定するためのシステムとして、ＡＴＭ交換システムにおけるモニタシステムやＶＯＩＰテストシステムなどが知られている。
【０００４】
従来のＡＴＭ交換システムは、モニター機能を有しており、任意の２加入者間の通信情報を通過セルとして抽出し、品質やトラヒックの有無を確認している。音声通話に関する通話品質の確認には、セル廃棄率やセル遅延時間を計測してそれぞれの数値に基づき確認していた。また、通話音声をＡＴＭ回線上でモニターする場合には、通過セルを抽出して通話音声に復元し録音する。そして、この録音した音声を再生することによってモニターを行っている（例えば、特許文献１参照）。例えば、「ディーリング端末」からの「モニターキー」押下により、まず録音が始まり、続いて「通話ボタン」の押下によって、通話が開始される。このように、通話者であるディ―ラの意志によって「録音開始」と「通話開始」が設定される。
【０００５】
また、従来のＶＯＩＰテストシステムは、ＩＰ網における通話品質を測定することができる。測定可能な項目は、パケット連続記録、パケット詳細表示、発信番号、着信番号、ＲＴＰ（Real-time Transport Protocol）パッケトのロスト、ジッタ、ディレイと、これらのネットワーク伝送特性により影響を受けた通話音質を音声データの録音、再生によりＰＳＱＭ値、ＰＳＱＭ＋値、ＭＯＳ相関値、Ｒ値に基づき評価する。また、波形観察、音声再生の確認ができる。
【特許文献１】特開２００１−２３７８４５号公報
【発明の開示】
【発明が解決しようとする課題】
【０００６】
しかし、上述した従来のシステムでは、加入者端末において、リアルタイムサービスの測定結果に基づいた課金情報であるのかが把握できないという問題がある。このため、加入者端末側では、どの程度の品質の影響が課金に及んでいるのかが分からないので、結果として、当該サービスのアルタナティブな品質保証に貢献しないという問題がある。
【０００７】
本発明は、このような事情を考慮してなされたもので、その目的は、リアルタイムサービスの測定結果に基づいた課金情報であることを把握できる加入者端末を提供することにある。
【課題を解決するための手段】
【０００８】
上記の課題を解決するために、請求項１に記載の加入者端末は、無線基地局との間の無線通信品質を測定する測定手段と、該測定手段の測定結果を前記無線基地局に送信する送信手段と、コンテンツなどの情報サービスの配信要求を行う要求手段と、前記送信した前記無線通信品質に基づいて算出された前記情報サービスの課金情報を受信する受信手段と、前記課金情報を報知する報知手段と、前記送信手段で前記測定結果を前記無線基地局へ送信したとき、前記受信手段による前記課金情報の受信、及び、前記報知手段による報知を実行するように制御する制御手段と、を備えたことを特徴としている。
【０００９】
請求項２に記載の加入者端末は、コンテンツなどの情報サービスの配信要求を行う要求手段と、前記要求手段による配信要求によって前記無線通信装置との間の無線通信品質が測定され、当該測定された無線通信品質に基づいて算出された前記情報サービスの課金情報を受信する受信手段と、前記課金情報を報知する報知手段と、を備えたことを特徴としている。
【００１０】
請求項３に記載の加入者端末は、前記報知情報で報知される前記課金情報は、前記無線通信品質を示す情報を含む、ことを特徴としている。
【発明の効果】
【００１１】
本発明によれば、無線基地局との間の無線通信品質に基づいて算出された情報サービスの課金情報を受信し、受信した課金情報を報知することができる。したがって、情報サービスの測定結果に基づいた課金情報であることを把握することができる。
【発明を実施するための最良の形態】
【００１２】
以下、図面を参照し、本発明の一実施形態について説明する。
【００１３】
図１は、本発明の一実施形態による加入者端末を含んだ、リアルタイムサービス測定システムの構成を示すブロック図である。図１において、加入者端末１００はＩＰ通信機能を有する無線電話端末等の携帯端末である。この加入者端末１００はＶＯＩＰなどのリアルタイムサービスに対応している。無線基地局１０１は加入者端末１００と無線通信し、ＩＰパケットを無線プロトコルで伝送する。また、その無線区間では伝送帯域のユーザ共有のメカニズムにより伝送帯域の配分が行われる。この配分は、ユーザのリクエストと、通信状況特に再送の状況や電波状況のＣＩ値、電波強度等に基づいて行われる。基地局制御装置１０３は制御専用線１０５を介して無線基地局１０１を制御する。
【００１４】
パケット測定装置１０２は、無線基地局１０１に接続されており、無線基地局１０１と加入者端末１００の間で送受されるパケットをモニターすることができる。そして、無線基地局１０１を介して基地局制御装置１０３からモニターの指示を受け取る。このモニターの指示により、その指示内容に含まれる特定の加入者端末１００への送信パケットの遅延、揺らぎ、スループット、優先度を測定する。また、パケット測定装置１０２は、インターネット網１０６に接続されており、基地局制御装置１０３からの指示により、測定結果をリアルタイム性能測定装置１０７に送信する。また、パケット測定装置１０２は、リアルタイム性能測定装置１０７からのリアルタイムモニターサービス要求を、基地局制御装置１０３を介して受信する。
【００１５】
ベストエフォート型のインターネットにおいても、それぞれのアプリケーションが必要とする通話品質を提供することは重要である。通信網に於ける通信品質の要素には、遅延、揺らぎ、スループット、優先度の４つがある。これらの測定は、パケット測定装置１０２によって行われる。
【００１６】
リアルタイムサービスＨＴＴＰサーバ１０４は、ＶＯＩＰのゲートキーパやストリーミング番組の配信等を行う。リアルタイム性能測定装置１０７は、予め定められた条件で、パケット測定装置１０２とともにリアルタイム性能を測定し、記録する。
【００１７】
次に、図２を参照して、上記図１のリアルタイムサービス測定システムの動作を説明する。図２は、図１に示すリアルタイムサービス測定システムが行う品質測定処理の流れを示すフローチャートである。
【００１８】
リアルタイムサービスＨＴＴＰサーバ１０４は、加入者端末１００からのリアルタイムサービス要求を受信すると、その要求をリアルタイム性能測定装置１０７に渡す。リアルタイム性能測定装置１０７は、そのリアルタイムサービス要求を受け取ると（ステップＳ１「ＹＥＳ」）、受信した要求内容を解析する。この解析の結果、モニター条件に適合すれば（ステップＳ２「ＹＥＳ」）、要求元情報を記録し（ステップＳ３）、基地局制御装置１０３にモニターを行うようモニター設定要求を送信する（ステップＳ４）。
【００１９】
次いで、ステップＳ５では、無線基地局１０３におけるリアルタイムパケットのモニターが行われる。以下、このモニター処理を説明する。
【００２０】
リアルタイム性能測定装置１０７は、例えば地域、時刻、アクセス頻度を測定開始の条件とするリアルタイムサービス（例えばコンテンツなどの特定番組、特にコマーシャルや、ＶＯＩＰの通話）に対して、性能測定を開始するための処理を行う。この測定開始指示は、上記モニター設定要求として、インターネット網１０６に接続されている基地局制御装置１０３に送信され、基地局制御装置１０３は制御専用線１０５を介して無線基地局１０１に送信され、無線基地局１０１からパケット測定装置１０２に送信される。
【００２１】
パケット測定装置１０２は、受信した要求内容に従って、無線基地局１０３におけるリアルタイムパケットのモニターを行い、リアルタイムパケットの遅延、揺らぎ、スループット、優先度を測定する。また、無線基地局１０１は、ＣＩ値及び電波強度及び配分情報を追加情報として、パケット測定装置１０２へ送信する。次いで、パケット測定装置１０２は、自己の測定値と無線基地局１０１から受信した追加情報を、リアルタイム性能測定装置１０７にインターネット網１０６を介して送信する。リアルタイム性能測定装置１０７は、パケット測定装置１０２から受信した測定値及び追加情報と、リアルタイムサービスＨＴＴＰサーバ１０４から取得した要求元情報とを対応付けて記録する。これにより、後の閲覧が効率よく行える。
【００２２】
上述したように本実施形態によれば、無線区間を含むＩＰ網において、ＶＯＩＰによる通話やストリーミングによる映像または音声の配信等のリアルタイムサービスの実際の運用状態における品質を測定することができる。特に、無線区間を含み、帯域変動の大きいＨＤＲ等の無線インターネットにおける品質保証に用いれば有用である。
【００２３】
なお、パケット測定装置１０２の各測定項目（遅延、揺らぎ、スループット、優先度）の測定結果には、統計数値と、再現試験ができる測定値とがある。例えば、加入者端末モデルに配信コマーシャルを再現再生し、その品質について、数値と印象の両方に基づいて評価することができる。これにより、通常、通信の専門家ではない、コマーシャルのクライアント等に対して実施状況を説明する場合に、パケット測定装置１０２の測定結果は配信頻度と共に有用な評価データとなる。
【００２４】
また、加入者端末１００において有料課金情報を購入した際に、その情報の品質がリアルタイム性能に大きく依存する場合、本発明によるリアルタイムサービス測定システムによりそのリアルタイム性能測定データを取得するようにする。そして、当該情報の提供品質に基づいて課金を判定するようにしてもよい。そして、課金を判定した場合には、無線基地局１０１を介して、加入者端末１００にその旨の情報を通知して、加入者端末において「ご利用頂いたコンテンツは品質が悪かったため課金は行いません」、「今回のコンテンツ料金は５０％ｏｆｆ」等の報知（表示や音声出力など）を行うことができる。このように、本発明によるリアルタイムサービス測定システムは、アルタナティブな品質保証を行うことも可能である。
【００２５】
図３は、加入者端末１００の構成を示す構成を示すブロック図である。図３において、加入者端末１００は、アンテナ２０１と無線手段２０２と制御手段２０３と測定手段２０４と表示手段２０５と操作手段２０６と音声入出力手段２０７と記憶手段２０８とを有する。
【００２６】
無線手段２０２は、アンテナ２０１を介して無線基地局との間で無線信号を送受信する。制御手段２０３は加入者端末１００の各部を制御する。測定手段２０４は、無線基地局との間の無線通信品質を測定する。表示手段２０５は液晶表示パネルおよび表示制御回路から構成される。操作手段２０６はテンキー、各種ファンクションキー等の入力キーから構成される。音声入出力手段２０７はマイク及びスピーカから構成される。記憶手段２０８は、制御手段２０３によりアクセスされ、各種データを記憶する。
【００２７】
制御手段２０３は、無線手段２０２によりコンテンツなどの情報サービスの配信要求を行う。また、測定手段２０４による無線通信品質の測定結果を無線手段２０２により無線基地局に送信する。そして、その送信した無線通信品質に基づいて算出された情報サービスの課金情報を無線手段２０２により受信する。そして、該受信した課金情報を、表示手段２０５による表示または音声入出力手段２０７による音声出力によって報知する。
【００２８】
以上、本発明の実施形態を図面を参照して詳述してきたが、具体的な構成はこの実施形態に限られるものではなく、本発明の要旨を逸脱しない範囲の設計変更等も含まれる。
【図面の簡単な説明】
【００２９】
【図１】本発明の一実施形態による加入者端末を含んだ、リアルタイムサービス測定システムの構成を示すブロック図である。
【図２】図１に示すリアルタイムサービス測定システムが行う品質測定処理の流れを示すフローチャートである。
【図３】加入者端末１００の構成を示す構成を示すブロック図である。
【符号の説明】
【００３０】
１００：加入者端末、          １０１：無線基地局、  
１０２：パケット測定装置、    １０３：基地局制御装置、  
１０４：リアルタイムサービスＨＴＴＰサーバ、  
１０５：制御専用線、          １０６：インターネット網、  
１０７：リアルタイム性能測定装置、  
２０１：アンテナ、            ２０２：無線手段、  
２０３：制御手段、            ２０４：測定手段、  
２０５：表示手段、            ２０６：操作手段、  
２０７：音声入出力手段、      ２０８…記憶手段。  
【図１】
2007336575.tif 000003
【図２】
2007336575.tif 000004
【図３】
2007336575.tif 000005